(57)【特許請求の範囲】
【請求項１】
建物の床合板の下に取付けられる床下パネルであって、
該床下パネルを構成するパネル本体を繊維補強セメント複合体と断熱材とで形成し、かつその上面を前記床合板の下面に密着させて固定部材で固定し、前記固定部材で固定する部分を繊維補強セメント複合体で形成してなり、
前記繊維補強セメント複合体を平板状の平板部と、当該平板部から立設した足部とで構成し、前記平板部上に断熱材を前記床合板に接触させた状態で配置すると共に、前記足部を前記固定部材で固定する部分とし、前記足部の上面にも断熱材を設けて、前記床合板に接する部分の全てを断熱材としたことを特徴とする床下パネル。
【請求項２】
前記パネル本体の下面にステンレス板を固定してなり、そのステンレス板の側端部には折曲部を形成すると共に、ステンレス板の適宜箇所にはポンチ穴を穿設して返り部を形成し、当該折曲部と返り部を前記繊維補強セメント複合体に食込ませ、ステンレス板を繊維補強セメント複合体に強固に組付けてなることを特徴とする請求項１に記載の床下パネル。
【請求項３】
前記繊維補強セメント複合体の平板部から足部にかけてステンレス製の補強針金を埋設してなることを特徴とする請求項１又は２に記載の床下パネル。
【発明の詳細な説明】
【０００１】
【発明の属する技術分野】
本発明は、繊維補強セメント複合体（ＦＲＣＣ）を使用して形成し、建物の床合板の下面に設ける床下パネルに関するものである。
【０００２】
【従来の技術】
従来、例えば木造建物の床構造は、図６に示すように、根太１０の上に床合板（捨貼）７を張り、その上にフローリング等の床仕上げ材８を配している。
そして、根太１０間に断熱材３を突っ張らせるようにして嵌め込んでいる。なお、根太１０側面にピンを介して断熱材３を固定する方法もある。
また、図示を省略するが、床合板（捨貼）７の下部で、大引間に断熱材３をピン又はテープを介して固定する、いわゆる捨て貼り工法も知られている。
【０００３】
【発明が解決しようとする課題】
しかしながら、上記従来技術においては、根太間１０あるいは大引間に嵌め込まれた断熱材３は、その断熱材３本体あるいは固定用治具の経時的変化や建物の振動等によってずれ下がったり、ひどい場合には根太間１０あるいは大引間から落下する危険性がある。
このような場合には、床合板７との間に空間Ｇが形成されるので、建物の断熱性が低下するといった問題がある。
【０００４】
そこで、本発明の目的とするところは、床合板との間に空間が形成されるのを未然に阻止して建物の断熱性能を十分に発揮しうる床下パネルを提供することを課題とする。
【０００５】
【課題を解決するための手段】
上記の目的を達成するために、本発明の請求項１に記載の床下パネルは、建物の床合板（７）の下に取付けられるもので、その床下パネルを構成するパネル本体（１）を繊維補強セメント複合体（２）と断熱材（３）とで形成し、かつその上面を前記床合板（７）の下面に密着させて固定部材（４）で固定し、前記固定部材（４）で固定する部分を繊維補強セメント複合体（２）で形成してなり、
前記繊維補強セメント複合体（２）を平板状の平板部（２ａ）と、当該平板部（２ａ）から立設した足部（２ｂ）とで構成し、前記平板部（２ａ）上に断熱材（３ａ）を前記床合板（７）に接触させた状態で配置すると共に、前記足部（２ｂ）を前記固定部材（４）で固定する部分とし、前記足部（２ｂ）の上面にも断熱材（３ｂ）を設けて、前記床合板（７）に接する部分の全てを断熱材（３）としたことを特徴とする。
【０００６】
また、請求項２に記載の床下パネルは、前記パネル本体（１）の下面にステンレス板（５）を固定してなり、そのステンレス板（５）の側端部には折曲部（５ａ）を形成すると共に、ステンレス板（５）の適宜箇所にはポンチ穴（５ｂ）を穿設して返り部（５ｃ）を形成し、当該折曲部（５ａ）と返り部（５ｃ）を前記繊維補強セメント複合体（２）に食込ませ、ステンレス板（５）を繊維補強セメント複合体（２）に強固に組付けてなることを特徴とする。
【０００７】
さらに、請求項３に記載の床下パネルは、前記繊維補強セメント複合体（２）の平板部（２ａ）から足部（２ｂ）にかけてステンレス製の補強針金（６）を埋設してなることを特徴とする。
【００１０】
なお、ここでいう繊維補強セメント複合体（ＦＲＣＣ）としては、ガラス繊維補強セメント（ＧＲＣ），炭素繊維補強コンクリート（ＣＦＲＣ），ビニロン繊維補強コンクリート（ＶＦＲＣ），ポリプロピレン繊維補強コンクリート（ＰＦＲＣ），アラミド繊維補強コンクリート（ＡＦＲＣ）が含まれる。
【００１１】
なお、カッコ内の記号は、図面および後述する発明の実施の形態に記載された対応要素または対応事項を示す。
【００１２】
本発明の請求項１に記載の床下パネルによれば、その床下パネルを構成するパネル本体の上面を前記床合板の下面に密着して固定部材で固定しているので、床合板との間に空間が形成されず、断熱性に優れる。また、パネル本体を繊維補強セメント複合体で形成しているので、固定部材が繊維補強セメント複合体に強く組付き、よってパネル本体を床合板に強固に固定することができ、建物の振動等の影響によってもパネル本体と床合板との間に空間が形成されることがない。
【００１３】
また、本発明によれば、パネル本体を繊維補強セメント複合体と断熱材とで形成したので、断熱材の持つ高い断熱性によって建物の断熱効果を高めることができる。それと同時に、固定部材で固定する部分を繊維補強セメント複合体で形成したので、パネル本体を床合板に強固に固定させることができる。
またさらに、パネル本体の床合板に接する部分を断熱材で形成しているので、当該断熱材が持つ優れた断熱性により、建物の断熱効果をさらに高めることができる。
【００１４】
さらに、本発明の請求項２に記載の発明によれば、パネル本体の下面にステンレス板を固定したので、パネル本体を形成する繊維補強セメント複合体または断熱材が損壊して落下するのを未然に阻止することができる。特に曲げには強いが衝撃にはあまり強くないといった性質を有するガラス繊維補強セメント（ＧＲＣ）を使用した場合、ステンレス板と合体させることにより衝撃応力に強い、高耐久の床下地材にすることができる。
【００１５】
また、本発明の請求項３に記載の発明によれば、少なくとも繊維補強セメント複合体にステンレス製の補強針金を埋設しているので、当該繊維補強セメント複合体を効果的に補強することができる。特に断熱材を使用した場合には、ステンレス製の補強針金によって、断熱材と繊維補強セメント複合体との密着性を高めることができる。
【００１７】
【発明の実施の形態】
図１乃至図４を参照して、本発明の実施形態に係る床下パネルについて説明する。図１は床下パネルを床合板７の下面に取付けた状態を示す部分断面図である。図２はその床下パネルの平面図であり（固定部材４およびサブ断熱材３ｂを除いた状態）、図３はその底面図である。また、図４は図３におけるＡ−Ａ線拡大断面図である。従来例で示したものと同一部分には同一符号を付した。
【００１８】
本発明の実施形態に係る床下パネルは、木造建物の床仕上げ材８の下面に位置する床合板７の下に取付けられるもので、当該床下パネルを構成するパネル本体１を繊維補強セメント複合体（ＦＲＣＣ）２と断熱材３で形成すると共に、固定部材４で固定する部分を繊維補強セメント複合体２で形成している。
【００１９】
すなわち、繊維補強セメント複合体２を平板状の平板部２ａと、当該平板部２ａから立設した足部２ｂとで構成し、平板部２ａ上に断熱材３（メイン断熱材３ａ）を床合板７に接触させた状態で配置すると共に、足部２ｂを固定部材４で固定する部分としている。さらに、足部２ｂの上面にも断熱材３（サブ断熱材３ｂ）を設けて、パネル本体１の床合板７に接する部分の全てを断熱材３としている。そして、パネル本体１の上面を床合板７の下面に密着させて固定部材（ビス）４で固定している。
【００２０】
また、この床下パネルは、パネル本体１の下面にステンレス板５を固定すると共に、繊維補強セメント複合体２の平板部２ａから足部２ｂにかけてステンレス製の補強針金６を埋設し、その上端部をメイン断熱材３ａ内に埋設している。なお、メイン断熱材３ａは部分的に接着剤９を介して床合板７に接着し、また、サブ断熱材３ｂは同じく接着剤９を介して床合板７と繊維補強セメント複合体２の足部２ｂに接着している。なお、特に限定するものではないが、ここではサブ断熱材３ｂに補強芯金６を貫通させている。
【００２１】
本実施形態に係る床下パネルは、繊維補強セメント複合体２の平板部２ａ上にメイン断熱材３ａを配置すると共に足部２ｂ上にサブ断熱材３ｂを配して床合板７の全域を断熱材３で覆い、かつ、それぞれを空間Ｇが形成されないように床合板７に接着しているので、断熱材３の持つ優れた断熱性により、建物の断熱効果を効果的に高めることができる。
また、足部２ｂを固定部材４で固定する部分としているので、当該固定部材４が強く組付き、これによりパネル本体１を床合板７に強固に固定することができる。
従って、建物に振動等が加わっても、パネル本体１はずれ下がることなく床合板７に固定され、従来のように床合板７との間に空間Ｇが生じることによって断熱効果が低下するといった問題を未然に防止することができる。
【００２２】
また、繊維補強セメント複合体２の平板部２ａ上に断熱材３を配置しているので、繊維補強セメント複合体２を床合板７に取付ける作業によって断熱材３を床合板７の下面に取付けることができる。
【００２３】
また、パネル本体１の下面にステンレス板５を固定しているので繊維補強セメント複合体２が損壊するようなことがあっても、この床下パネルを２階以上の床下に設けた場合に、その落下を防止することができ、安全性を確保することができる。
【００２４】
なお、このステンレス板５の側端部には折曲部５ａを形成すると共に、その適宜箇所にはポンチ穴５ｂを穿設して返り部５ｃを形成し、当該折曲部５ａと返り部５ｃを繊維補強セメント複合体２に食込ませ、ステンレス板５を繊維補強セメント複合体２に強固に組付けている。このステンレス板５は、腐食し難いので長期にわたって繊維補強セメント複合体を下から支持することができる。
【００２５】
さらに、この床下パネルは、繊維補強セメント複合体２の平板部２ａから足部２ｂにわたってステンレス製の補強針金６を埋設しているので、特に足部２ｂの補強を図ることができている。この補強針金６はステンレス製であるため、腐食し難く、よって、足部２ｂをより効果的に補強することができる。
【００２６】
なお、ステンレス板５は、図３に示す単体物に限定されるものではなく、図５に示すように複数の分割板５ｄで形成することもできる。こうすることによって、ステンレス板の材料費を軽減することができる。
【００２７】
なお、本実施形態において、繊維補強セメント複合体（ＦＲＣＣ）としては、ガラス繊維補強セメント（ＧＲＣ），炭素繊維補強コンクリート（ＣＦＲＣ），ビニロン繊維補強コンクリート（ＶＦＲＣ），ポリプロピレン繊維補強コンクリート（ＰＦＲＣ），アラミド繊維補強コンクリート（ＡＦＲＣ）が含まれる。
【００２８】
【発明の効果】
本発明の請求項１に記載の床下パネルによれば、その床下パネルを構成するパネル本体の上面を前記床合板の下面に密着して固定部材で固定しているので、床合板との間に空間が形成されず、断熱性に優れる。また、パネル本体を繊維補強セメント複合体で形成しているので、固定部材が繊維補強セメント複合体に強く組付き、よってパネル本体を床合板に強固に固定させることができる。これによって、振動等によってパネル本体と床合板との間に空間が形成されることがなく、高い断熱性を維持することができる。
【００２９】
また、本発明によれば、パネル本体を繊維補強セメント複合体と断熱材とで形成したので、断熱材の持つ高い断熱性によって建物の断熱効果を高めることができる。それと同時に、固定部材で固定する部分を繊維補強セメント複合体で形成したので、パネル本体を床合板に強固に固定させることができる。従って、空間の発生を未然を防止し、高い断熱効果を得ることができる。
またさらに、パネル本体の床合板に接する部分を断熱材で形成しているので、当該断熱材が持つ優れた断熱性により、建物の断熱効果をさらに高めることができる。
【００３０】
さらに、本発明の請求項２に記載の発明によれば、パネル本体の下面にステンレス板を固定したので、パネル本体を形成する繊維補強セメント複合体または断熱材が損壊することがあっても落下を未然に阻止することができる。これによって安全性を確保することができる。特に曲げには強いが衝撃にはあまり強くないといった性質を有するガラス繊維補強セメント（ＧＲＣ）を使用した場合、ステンレス板と合体させることにより衝撃応力に強い、高耐久の床下地材にすることができる。
【００３１】
また、本発明の請求項３に記載の発明によれば、繊維補強セメント複合体と断熱材とにわたってステンレス製の補強針金を通しているので、当該繊維補強セメント複合体と断熱材との組付き力を高めて両者間に空間が形成されるのを防止し、高い断熱性を維持することができる。特に断熱材を使用した場合には、ステンレス製の補強針金によって、断熱材と繊維補強セメント複合体との密着性を高めることができる。
【図面の簡単な説明】
【図１】本発明の実施形態に係る床下パネルを床合板の下面に取付けた状態を示す部分断面図である。
【図２】図１に示す床下パネルの平面図である。
【図３】図１に示す床下パネルの底面図である。
【図４】図３におけるＡ−Ａ線拡大断面図である。
【図５】本発明に係る床下パネルにおいて、ステンレス板の他の実施形態を示す底面図である。
【図６】従来例を示す部分断面図である。
【符号の説明】
１    パネル本体
２    繊維補強セメント複合体（ＦＲＣＣ）
２ａ  平板部
２ｂ  足部
３    断熱材
３ａ  メイン断熱材
３ｂ  サブ断熱材
４    固定部材
５    ステンレス板
５ａ  折曲部
５ｂ  ポンチ穴
５ｃ  返り部
５ｄ  分割板
６    補強針金
７    床合板（捨貼）
８    床仕上げ材
９    接着剤
１０  根太
Ｇ    空間
【図１】
0003546189.tif 000002
【図２】
0003546189.tif 000003
【図３】
0003546189.tif 000004
【図４】
0003546189.tif 000005
【図５】
0003546189.tif 000006
【図６】
0003546189.tif 000007